(57)【要約】【課題】接続作業を短時間で効率よく行うことができ、従来の管継手よりも小型化できる管継手を提供する。【解決手段】内周面に波付き管外周面の波形と噛み合う波形を形成した一対の半筒部１３Ａ、１３Ｂを有する。一対の半筒部は、一方の側縁をヒンジ部１５で結合され、他方の側縁が開閉可能となっている。一対の半筒部１３Ａ、１３Ｂの開閉可能な側縁にはそれぞれ外方へ張り出すフランジ部１９Ａ、１９Ｂが形成され、このフランジ部に前記開閉可能な側縁を閉じた状態に保持する差込式の係止部材２１が形成されている。一対の半筒部１３Ａ、１３Ｂの内周面には、厚さ方向に圧縮容易な多孔質の水膨張性シートが張り付けられている。【選択図】図１
2008051320.tif 000002
【特許請求の範囲】
【請求項１】
内周面に波付き管外周面の波形と噛み合う波形を形成した一対の半筒部を有し、この一対の半筒部は一方の側縁でヒンジ結合され、他方の側縁が開閉可能となっており、
前記一対の半筒部の開閉可能な側縁にはそれぞれ外方へ張り出すフランジ部が形成され、このフランジ部に前記開閉可能な側縁を閉じた状態に保持する差込型の係止部材が形成されており、
前記一対の半筒部の内周面には、厚さ方向に圧縮容易な多孔質の水膨張性シートが張り付けられていることを特徴とする管継手。
【請求項２】
差込型の係止部材は、一方のフランジ部に突設された先端に係止爪を有する弾性係止片と、他方のフランジ部に形成された前記弾性係止片が挿入される穴とから構成され、一対の半筒部の開閉可能な側縁を最後まで閉じると、前記弾性係止片が穴に挿入され、係止爪が穴の縁に引っ掛かるようになっていることを特徴とする請求項１記載の管継手。
【請求項３】
水膨張性シートは、水を吸収して膨張する水膨張性繊維と水を吸収しない非水膨張性繊維とを含む不織布であることを特徴とする請求項１記載の管継手。
【発明の詳細な説明】
【技術分野】
【０００１】
本発明は、防水型の管継手に関するものである。
【背景技術】
【０００２】
防水型の管継手としては止水用のゴムパッキングを使用するものが一般的であるが、特許文献１には、水膨張材を使用した管継手が開示されている。この管継手は、一対の半筒部の内周面に水膨張材の層を設けると共に、前記一対の半筒部の両側にフランジ部を形成したもので、一対の半筒部で波付き管を挟み、フランジ部をボルトナットで締め付けることにより、波付き管を接続するものである。この管継手で接続した波付き管の接続部は、接続時点では波付き管と管継手の間に隙間があっても差し支えないが、接続部が水に浸かるなどして水膨張材が水と接触すると、水膨張材が水を吸収して膨張し、波付き管と管継手の間の隙間を塞いで、波付き管内に水が浸入するのを防止する。
【０００３】
【特許文献１】実用新案公開平６−４３４８０号公報
【発明の開示】
【発明が解決しようとする課題】
【０００４】
特許文献１に開示された管継手は、水膨張材を波付き管の外周面に押し付けるために、半筒部の両側に形成したフランジ部をボルトナットで締め付ける構成を採用している。しかし、フランジ部をボルトナットで締め付ける作業は時間がかかり、接続作業時間を短縮することが難しい。また、半筒部の両側にフランジ部を設ける必要があるため、管継手の幅寸法が大きくなり、大きな設置スペースを必要とする。特に、複数本並べて布設された波付き管を同じ箇所で接続しようとすると、接続部だけが横方向へ大きく広がってしまい、設置スペースの確保が困難になることから、工事施工の観点でこの点の改善が望まれていた。
【０００５】
本発明の目的は、接続作業を短時間で効率よく、ワンタッチで行うことができ、しかも従来の管継手よりも小型化できる管継手を提供することにある。
【課題を解決するための手段】
【０００６】
この目的を達成するため本発明に係る管継手は、
内周面に波付き管外周面の波形と噛み合う波形を形成した一対の半筒部を有し、この一対の半筒部は一方の側縁でヒンジ結合され、他方の側縁が開閉可能となっており、
前記一対の半筒部の開閉可能な側縁にはそれぞれ外方へ張り出すフランジ部が形成され、このフランジ部に前記開閉可能な側縁を閉じた状態に保持する差込式の係止部材が形成されており、
前記一対の半筒部の内周面には、厚さ方向に圧縮容易な多孔質の水膨張性シートが張り付けられていることを特徴とするものである。
【０００７】
本発明の管継手において、差込式の係止部材は、一方のフランジ部に突設された先端に係止爪を有する弾性係止片と、他方のフランジ部に形成された前記弾性係止片が挿入される穴とから構成され、一対の半筒部の開閉可能な側縁を最後まで閉じると、前記弾性係止片が穴に挿入され、係止爪が穴の縁に引っ掛かるようになっているものであることが好ましい。
【０００８】
本発明の管継手において、水膨張性シートは、水を吸収して膨張する水膨張性繊維と水を吸収しない非水膨張性繊維とを含む不織布であることが好ましい。
【発明の効果】
【０００９】
本発明によれば、一対の半筒部の一方の側縁をヒンジ結合し、他方の側縁を開閉可能とし、この開閉可能な側縁を閉じた状態に保持するのに、ボルトナットではなく、差込式の係止部材を採用したので、波付き管の接続作業を短時間で効率よく行うことができる。差込式の係止部材では、ボルトナットのように強く締め付けることはできないが、本発明においては水膨張性シートとして厚さ方向に圧縮容易な多孔質のものを使用しているため、一対の半筒部で波付き管を挟んで係止部材を結合する際に、水膨張性シートが容易に圧縮され、強い締め付け力を必要としない。このため波付き管の接続作業を容易に行うことができる。また、フランジ部が形成されているのは一対の半筒部の片方の側縁だけであるため、両側にフランジ部を形成した従来の管継手よりも管継手の幅寸法を小さくでき、設置スペースが小さくて済む利点がある。
【発明を実施するための最良の形態】
【００１０】
図１及び図２は本発明に係る管継手の一実施形態を示す。この管継手１１は、内周面に波付き管外周面の波形と噛み合う波形を形成した一対の半筒部１３Ａ、１３Ｂを有している。一対の半筒部１３Ａ、１３Ｂは一方の側縁がヒンジ部１５によって結合され、他方の側縁が開閉可能となっている。図１は一対の半筒部１３Ａ、１３Ｂの開閉可能な側縁を閉じた状態、図２は開閉可能な側縁を開いた状態を示している。図３はこの管継手１１によって波付き管１７Ａ、１７Ｂを接続した状態を示す。
【００１１】
一対の半筒部１３Ａ、１３Ｂの開閉可能な側縁にはそれぞれ外方へ張り出すフランジ部１９Ａ、１９Ｂが形成され、このフランジ部１９Ａ、１９Ｂに前記開閉可能な側縁を閉じた状態に保持する差込式の係止部材２１が形成されている。係止部材２１は、一方のフランジ部１９Ａに突設された先端に係止爪２５を有する弾性係止片２３と、他方のフランジ部１９Ｂに形成された前記弾性係止片２３が挿入される穴２７とから構成されている。この実施形態では、係止部材２１を管継手軸線方向に間隔をあけて２組形成したが、係止部材２１の組数は特に限定されない。
【００１２】
また、一対の半筒部１３Ａ、１３Ｂの内周面には、水膨張性シート２９が張り付けられている。この水膨張性シート２９は多孔質でシート厚さ方向に容易に圧縮可能である。このような易圧縮性の水膨張性シート２９を使用すると、図３のように一対の半筒部１３Ａ、１３Ｂで波付き管１７Ａ、１７Ｂの端部を挟み付けるときに、水膨張性シート２９が容易に圧縮されるため、大きな力をかけなくても（つまりボルトナットで締め付けなくても）、一対の半筒部１３Ａ、１３Ｂの開閉可能な側縁を閉じることが可能となる。このため開閉可能な側縁を係止部材２１で閉じることが可能となるのである。
【００１３】
厚さ方向に圧縮容易な多孔質の水膨張性シート２９としては、水を吸収して膨張する水膨張性繊維（例えばポリアクリル酸ナトリウム繊維）と水を吸収しない非水膨張性繊維（例えばポリエステル繊維）とを含む不織布を使用するとよい。この不織布はフェルトのような形態であり、多孔質で、厚さ方向に圧縮容易である。
【００１４】
前述の係止部材２１は、さらに具体的に説明すると、管継手軸線方向に間隔をあけて形成された２本の弾性係止片２３と、２本の弾性係止片２３が一緒に挿入される１つの矩形穴２７とで構成されている。２本の弾性係止片２３の先端部の係止爪２５は、管継手軸線方向の互いに反対側を向くように（つまり外向きに）形成されている。２本の弾性係止片２３の係止爪２５より下の部分の外面間隔は、穴２７の管継手軸線方向に対向する内面の間隔と同じである。このため、図２の状態から半筒部１３Ａ、１３Ｂの開閉可能な側縁を閉じていくと、まず係止爪２５から穴２７に入り、係止爪２５が穴２７の内面に押されて２本の弾性係止片２３が内側へ（互いに接近する方向へ）撓みながら穴２７内を通過する。一対の半筒部１３Ａ、１３Ｂの開閉可能な側縁が最後まで閉じられると、図１に示すように、係止爪２５が穴２７を通り抜け、撓んでいた弾性係止片２３が復元して、係止爪２５が穴２７の縁に引っ掛かる。これによって開閉可能な側縁が閉じた状態に保持される。
【００１５】
図１の状態から、一対の半筒部１３Ａ、１３Ｂの開閉可能な側縁を開く必要が生じたときは、穴２７から突出している２つの係止爪２５の先端部をつまんで、２本の弾性係止片２３を内側へ撓ませれば、係止爪２７が穴２７の縁から外れるので、容易に開閉可能な側縁を開くことができる。
【００１６】
この管継手１１は、上述のように、半筒部１３Ａ、１３Ｂで波付き管１７Ａ、１７Ｂを挟んで、係止部材２１を結合させるだけで、波付き管１７Ａ、１７Ｂを接続できるので、波付き管の接続を容易に、かつ短時間で行うことができる。またフランジ部は半筒部の片側にしか設けていないので、管継手の幅寸法を小さくでき、設置スペースが小さくて済む。なお、フランジ部に設ける係止部材は、管継手の大きさに応じて必要な組数設けることができる。
【００１７】
なお、管継手１１で波付き管１７Ａ、１７Ｂを接続した（係止部材２１を結合した）ときの、管継手１１による波付き管１７Ａ、１７Ｂの締め付け力は、管継手１１が波付き管１７Ａ、１７Ｂのまわりに回転できる程度にすることが好ましい。
この程度の締め付け力であっても、水膨張性シート２９が取り付け時に収縮し、水を吸収したときには膨張して、膨張時に水の吸収により十分な体積変化が得られるので、管継手と波付き管が密着し、外部から管継手内部への水の浸入を防止できると同時に、体積変化による押圧力により、管継手の弾性係止片の係止爪と穴との結合強度が増加し、しかも管継手の装着が容易である。
また、波付き管を接続した時に管継手１１が波付き管１７Ａ、１７Ｂのまわりに回転できれば、フランジ部１９Ａ、１９Ｂの周方向の位置を変えられるので、フランジ部１９Ａ、１９Ｂを上又は下に向けて設置スペースをさらに小さくすることができる。
【００１８】
図４は本発明に係る管継手の係止部材部分の他の実施形態を示す。この係止部材２１が前記実施形態における係止部材と異なる点は、一対の弾性係止片２３、２３の中間にフランジ部１９Ａから立ち上がる起立片３１を形成すると共に、穴２７の上端開口部の中間にフランジ部１９Ａ、１９Ｂを閉じたときに前記起立片３１の先端部が挿入されるキャップ部３３を形成したことである。それ以外の構成は前記実施形態と同じであるので、同一部分には同一符号を付して説明を省略する。
【図面の簡単な説明】
【００１９】
【図１】本発明に係る管継手の一実施形態を、一対の半筒部を閉じた状態で示す、（Ａ）は側面図、（Ｂ）は正面図、（Ｃ）は平面図。
【図２】図１の管継手を、一対の半筒部を開いた状態で示す、（Ａ）は側面図、（Ｂ）は正面図。
【図３】図１の管継手で波付き管を接続した状態を示す断面図。
【図４】本発明に係る管継手における係止部材部分の他の実施形態を示す、（Ａ）はフランジ部を閉じる前の正面図、（Ｂ）は閉じた後の正面図。
【符号の説明】
【００２０】
１１：管継手
１３Ａ、１３Ｂ：半筒部
１５：ヒンジ部
１７Ａ、１７Ｂ：波付き管
１９Ａ、１９Ｂ：フランジ部
２１：係止部材
２３：弾性係止片
２５：係止爪
２７：穴
２９：水膨張性シート
【図１】
2008051320.tif 000003
【図２】
2008051320.tif 000004
【図３】
2008051320.tif 000005
【図４】
2008051320.tif 000006